(57)【要約】【課題】  津波避難困難地域の避難施設で、身体障害者から老人、幼児に至るまで避難が可能で、簡素な構成かつ安価に提供できる津波避難施設が求められている。【解決手段】  この津波避難施設は円形中心より放射線状に鋼管径0.3m〜1.0m、長さ10m〜30mの２分の１の長さを地中に打ち込み基礎杭とし、地上部２分の１を地上部鋼管支柱とし、その頭部に円冠鋼材梁と円中心の鋼管頭部に設けた円冠鋼材梁を繋ぎ、円形避難床版を設け、さらに床版全体にドーム型屋根あるいは陸屋根で覆い、又、屋根の無い円形高床津波避構造で構成されている。【選択図】図１
2016196733.tif 000002
【特許請求の範囲】
【請求項１】
地上平面円形線上に中心点より多角形放射線状に鋼管の約５０％を地中に打ち込み基礎杭とし、同―鋼管の地上部を津波避難施設の支柱２とし、その頭部に円冠梁材として円形中心に設けた鋼管杭と鋼管支柱２を鋼材で繋ぎ円形高床版を設けた避難施設の面積は、収容人員の規模に応じて適用出来る避難施設であり、地面より避難床版へ上る昇降スロープを設けた高床式避難施設。
【請求項２】
津波避難高床版を覆うドーム型屋根を設けた2層2階避難床版構造の津波避難施設。
【請求項３】
津波避難施設高床版上に陸屋根を設け、その上に太陽光パネル発電、又、避難救急用物資及びトイレ等を設備する事の出来る津波避難施設。
【請求項４】
津波避難施設ドーム型屋根、及び陸屋根に囲まれた避難施設を屋内運動場又はコミュニティーセンターなどに活用することの出来る津波避難施設。
【発明の詳細な説明】
【技術分野】
【０００１】
本発明は主に鋼管基礎杭と支柱を一体化して簡素且つ安価に構築されて、身体障
害者から老人幼児に至るまで避難が可能な津波避難施設に関係するものである。
【０００２】
従来、津波から人が避難する場合、図１２に示す様に、住居１５から地元の高台１６に駆け上り避難することが多い。
【先行技術文献】
【特許文献】
【０００３】
【特許文献１】特開２０１３−２２１２４６号公報
【０００４】
【発明の概要】
【発明が解決しようとする課題】
【０００５】
解決しようとする問題点は、従来の地元高台図１２の１６に避難する対応では、居住１５から高台までに距離があり避難に時間が掛かる場合が多く、また、海岸盛土防潮堤図１３の場合も津波は木々を倒して盛土を破壊し、住居１５への津波到達時間を遅らせる事が出来ず、この事は東日本大震災でも立証されている。又、図１４の鋼構造高所避難タワーは、階段での上り下りが困難な高齢者・身体障害者あるいは幼児等の避難施設としては不向きである。
又、図１５が示すコンクリート構造の立方体避難構造物１９も知られているが、津波シュミレーションによると、津波進行方向に対し直角に近い角度で津波が衝突した場合、波力エネルギーを１００％受け損壊に至りやすく、波高を高め避難者の安全が守れない問題がある。
【課題を解決するための手段】
【０００６】
本発明は、上記した問題に鑑みなされたものであって、身体障害者から老人、幼児に至るまで避難が可能で、簡素な構造かつ安価な津波避難施設の提供を目的とする。
目的を達成するために本発明に係る津波避難施設は、平面円形３６０度を３０度〜４５度の放射線上に図１で土中に鋼管杭直径３０ｃｍ〜１.０ｍを打ち込み、地上部を図２の鋼管支柱２とし避難床版高さとし、円形中央に設けた鋼管杭と地上部支柱鋼材８を支柱天端に取り付けた後、図３の鋼材４で放射線状に桁を設け、その上部に円形リング状に鋼材5で梁を設け、その上に鋼板床・又はコンクリート床版図１の６を設けて避難場所とする。又、避難床版は高5m〜２0mの高床式で設けるため、地面からの上り下り手段として図５の鋼管支柱２の内側、又、外側に円形昇降道路スロープ図２の１０を設ける。又、避難床版上に図２のドーム型屋根を設け、避難者の保護と安全を確保する高床式ドーム型屋根構造を特徴とした避難施設とした。
【発明の効果】
【０００７】
本発明に係る津波避難施設によれば、地表面より避難床までのスロープ勾配を１０％〜１５％程度とし、比較的穏やかな登り坂道で、老人・車椅子利用者・幼児でも坂道を無理無く確実に登る事が可能で、１人でも多くの人命を救う事が出来る。更に、構造物を支える鋼管杭と、地盤上の支柱が一体構造の頭部円冠梁桁・地盤打ち込み鋼管杭・上部鋼管支柱が津波の波力、又は、浮遊物等が鋼管支柱に衝突したとしても充分耐える構造である。
【図面の簡単な説明】
【０００８】
【図１】図１は本発明の実施方法を示した外観図である。
【図２】図２は前記津波避難施設の側面図である。
【図３】図３は前記津避難施設の平面図である。
【図４】図４は津波避難施設ドーム屋根の梁設置平面図である
【図５】図５は１の鋼管杭・地盤上鋼管支柱設置平面図である。
【図６】図６は津波避難施設の地表面から高所避難床版に上る坂道を鋼管支柱内・外に設置する平面図である。
【図７】図７は図６の上り坂道設置の展開図である。
【図８】図８は津波避難施設の鋼管支柱天端に設ける円冠鋼材梁の正面図である。
【図９】図９は図８の円冠梁の平面図である。
【図１０】図１０はドーム屋根鉄骨梁組立正面図である。
【図１１】図１１はドーム屋根にシートを張った正面図である。
【図１２】図１２は従来の地元の高台を示した側面図である。
【図１３】図１３は従来の防潮林を示した側面図である。
【図１４】図１４は従来の高床式避難タワーの外観図である。
【図１５】図１５は従来の立方体型コンクリート構造避難施設の外観図である。
【図１６】図１６は本発明の津波避難施設の２階構造式の側面図である。
【図１７】図１７は津波避難施設地上鋼管支柱と津波・波力分流図である。
【図１８】図１８は津波避難施設の２階陸屋根又は２階設備図である。
【発明を実施するための形態】
【０００９】
本発明の実施形態を図面に基いて説明する。尚、以下に述べる実施形態は本発明を具体化した一例に過ぎず、本発明の技術的範囲を限定するものではない。
図１は本発明を実施する為の１実施形態に係る津波避難施設を示す外観図である。
図２は側面図である。
図３は平面図である。
各図において、この実施形態に係る津波避難施設は、図３の円形図の様に、地中鋼管杭と地表面から避難床版高までを１体化した鋼管杭１・鋼管支柱２・円冠状梁材３を設け、その上に鋼板又はコンクリート床版を設け、図２の１０を上り坂道とし、地表面から避難床版６まで１０％〜１５％程度のスロープ勾配として、老人・身体障害者・幼児に至るまで避難できる様に形成されている。
【００１０】
次に、津波避難施設Ｔを構築する手段を説明する。まず、図５に示す鋼管杭を平面円形直径１０Ｍ〜４０Ｍの津波避難施設の規模により、鋼管杭１〜２を円形放射線状に３０°から６０°程度の角度で２〜１を地中に打ち込み、図２の２を地表面上に図２の３の円冠鋼製梁部間で鋼管２の頭頂上部とする。
【００１１】
図２の鋼管は１と２を１本の長さで地中部と地上部に平面円形に必要本数を基礎杭と鋼管支柱として杭打機械で施工する。
【００１２】
その円形の中心に図５及び図６の鋼管２に図３の２と図４の２の円冠鋼材８と梁円冠鋼材９を設置する。
【００１３】
続いて、図３の６を円形床版として鋼板床版又はコンクリート床版で直径１０ｍ〜４０ｍの避難場所を設ける。
【００１４】
上記の様に構成された図３の避難床版６に地面から上る方法として、１０％〜１５％程度のスロープ勾配（図６の１０）を設ける。
【００１５】
避難床版の出入りは図３の円形床版６の部分に開口部７を設け、図７の頂上部に避難者が出入り出来る構造とした。
【００１６】
図２と図１０の１１と１２と１３を鋼材でアーチ型に組立図１１の天幕シートＴをドーム屋根に張り、避難者（図１のM）を風雨・寒気から保護出来、津波から安全に退避できる構造にしている。
【００１７】
この津波避難施設の諸元は、直径４０ｍ〜１０ｍ、床版設置高は５ｍ〜２５ｍ程度の浸水深の設計ができる。
【００１８】
上記のように構成された津波避難施設を引き続き説明する。大地震により避難施設付近が軟弱地盤層の場合、液状化現象が発生し避難施設構造物が沈下、又は傾斜して崩落倒壊の発生もあるが、本構造物は土中に打ち込んだ鋼管杭の支持により、液状化に対し沈下また傾斜等は発生せず、特に軟弱地盤強化対策工事の必要は無く、避難民の安全が図れ、且つ安価に建設できる。
【００１９】
又、津波避難施設図１６に示すように、２階構造にする事で収容人員を多く確保出来、経済的にも優位に活用できる。
【００２０】
津波避難施設は、図６の様に平面円形に鋼管支柱２の地表面上に突き出た支柱２は図１７の様に円形で、津波避難施設鋼管支柱２を襲った津波は、波動奇跡線２４が示す様に津波エネルギーが左右に分散する。従って、図１７鋼管支柱２に衝突する津波エネルギーは小さくなり、鋼管支柱２の損傷を防ぐ。
【００２１】
以上の様に津波避難施設を例示したが、本発明はそれに限定されない。例えば、避難床版上のアーチ型屋根の無い施設では、図１８の２２の様に陸屋根とし、その上に太陽光パネル発電設備を設置し、避難施設用の照明・トイレ・給水設備・急救用品備蓄倉庫等を設備出来る津波避難施設も本発明に含まれる。
【符号の説明】
【００２２】
T    津波避難施設
M    避難者
１    鋼管杭地中部１
２    鋼管杭地鋼管支柱２
G    地盤面
３    地上鋼管支柱２  天端に設けた円冠鋼材梁
４    床版放射状鋼製梁材
５    避難床版円冠鋼材梁
６    避難床版鋼板床  又は鉄筋コンクリート床板
７    避難床版出入り口
８    円形中央部鋼管支柱２  天端取り付け鋼製円冠鋼材
９    鋼製円冠梁材
１０  地面から避難床版６に上るスロープ状昇降路
１１  ドーム屋根鉄骨
１２  ドーム屋根円冠鉄骨材梁
１３  ドーム屋根頂上部の鉄骨梁材
１４  ドーム屋根天幕Tシート張り
１５  民家
１６  高台
１７  防潮堤
１８  鉄骨式避難タワー
１９  鉄筋コンクリート構造避難施設
２０  昇降階段
２１  津波    
２２  避難施設の陸屋根
【図１】
2016196733.tif 000003
【図２】
2016196733.tif 000004
【図３】
2016196733.tif 000005
【図４】
2016196733.tif 000006
【図５】
2016196733.tif 000007
【図６】
2016196733.tif 000008
【図７】
2016196733.tif 000009
【図８】
2016196733.tif 000010
【図９】
2016196733.tif 000011
【図１０】
2016196733.tif 000012
【図１１】
2016196733.tif 000013
【図１２】
2016196733.tif 000014
【図１３】
2016196733.tif 000015
【図１４】
2016196733.tif 000016
【図１５】
2016196733.tif 000017
【図１６】
2016196733.tif 000018
【図１７】
2016196733.tif 000019
【図１８】
2016196733.tif 000020